Podtech/llm-jp-corpus-v4-ja_patent huggingface dataset:
(57)【要約】【課題】  本発明はオートマチック車のブレーキペタルとアクセルペタルの踏み間違いにより、車が暴走して人身事故、大事故を起こしてしまうための発明を提供する。【解決手段】  この発明は自動運転席のブレーキペタル取り付け位置に関するものであり、水平についているブレーキペタルを引っ掛らないように踏みやすいように斜めにして靴底がペタルに接触したら水平に戻るもの。【選択図】図３
2013014308.tif 000002
【特許請求の範囲】
【請求項１】
オートマチック自動車または電気自動車のブレーキにおいて、アームに巾方向の一端を固定された固定ペタルと、この固定ペタルの右側に、ヒンジを介して可動ペタルを備えると共に前記固定ペタルの下面にはマグネットスイッチが固着されており、このマグネットスイッチのピストンは、前記可動ペタルの下面に接して右方向に伸び縮み可能とされたことを特徴とする可動ブレーキペタル。
【発明の詳細な説明】
【技術分野】
【０００１】本発明はブレーキペタルと間違えてアクセルペタルを踏んで暴走事故を防ぐ為の装置を備えた自動車のブレーキペタル装置である
【背景技術】
【０００２】  オートマチック自動車、電気自動車のブレーキペタルとアクセルペタルの踏み間違える盲点がある。盲点とはブレーキペタルが安全重視で横に大きくなって踏みやすくなっている、ペタルが大きくなった分、緊急時、運転者は慌てるために本来の正常な操作ができず靴底がペタル横に引っ掛り制動ができず事故になる。
図１は従来の運転席足元のブレーキペタル横にアクセルペタルから移動時に靴底が引っ掛った状態である。
目前に危険が迫っているときは、靴が引っ掛ったまま運転者はブレーキペタルに靴が乗っていると錯覚して、そのまま踏んでしまい大事故となることがある。
車社会で「アクセル間違い事故原因」は、現在「謎」となっている。
ここで私たち夫婦が経験したことを以下に述べる。
妻６７歳、今年２月寒い時である。ブレーキペタルを踏んだつもりがアクセルペタルを全開にして草むらに突入してしまった。原因は「謎」である。
私は６５歳、事故にはならなかったが「踏み間違いの原因」が分かった。
それは、靴底の厚い頑丈な安全靴を履いて運転したら、制動するたびにブレーキペタル横に靴底が引っ掛る事が原因であった。
私はその事が原因であると断定して、妻の車を引っ掛らないように、この発明による安全対策をした。
その後、この発明「ブレーキペタル装置」を装着した車を運転した妻は「安全、安心、快適。」とのことである。
【発明の概要】
【発明が解決しようとする課題】
【０００３】  本発明はオートマチック車のブレーキペタルとアクセルペタルの踏み間違いにより、車が暴走して人身事故、大事故を起こしてしまうための発明を提供する。
【課題を解決するための手段】
【０００４】  本発明はオートマチック自動車または電気自動車のブレーキにおいて、アームに巾方向の一端を固定された固定ペタルと、この固定ペタルの右側に、ヒンジを介して可動ペタルを備えると共に前記固定ペタルの下面にはマグネットスイッチが固着されており、このマグネットスイッチのピストンは、前記可動ペタルの下面に接して右方向に伸び縮み可能とされたことを特徴とする可動ブレーキペタルである。
【発明の効果】
【０００５】  本発明の目的は、車運転でとっさ、突発の操作で間違いのないブレーキペタルで制動して安心安全運転ができる発明である。
【図面の簡単な説明】
【０００６】
【図１】従来のアクセルペタルとブレーキペタルの関係を示す概略図
【図２】本発明の上から見た斜視図を示す
【図３】本発明の正面図を示す  （１）は可動ペタルに足が乗った瞬間の図  （２）はブレーキペタルの上に足が乗った状態を示す図
【発明を実施するための形態】
【０００７】  本発明の実施例を以下図１〜図４に基づいて説明する。
【実施例】
【０００８】図１は従来の運転席足元のブレーキペタル２にアクセルペタル１から制動するために足３がブレーキペタル２に移動時に靴底が引っ掛った（点線部）図面である。【０００９】図２は、図１のように靴が引っ掛らない様に解決した図です。ブレーキペタルを左半分は固定ペタル５がアーム７に固定のままで右半分は可動ペタル４であってアクセルペタル１を踏まない状態では３０度ほど角度を下にして傾いており、固定ペタル５とはヒンジ９を介して上下可動ペタル４を備える。アクセル１からブレーキペタルの可動ペタル５に右足３が引っ掛らずに移す際の状況を示すものである。【００１０】図３（１）は、靴の後方の図です。アーム７に右端が固着された固定ブレーキペタル５には下面にマグネットスイッチ６が固着されておりマグネットスイッチ６内部に伸縮するピストン８がある。
このピストン８の先端にはローラーが設けられており、このローラーが可動ペタル４の下面に当接されている。そしてアクセルペタルを踏まない状態では、可動ペタル４は右方向に３０度ほど傾いて、前記ピストン８の先端に設けられたローラーで受けている。このピストン８は可動ペタル４に右足３が乗ると、この負荷でマグネットスイッチ６のスイッチが働きピストン８とローラーは右方向に延び、これによってローラーが可動ペタル４を上方に押し上げられ、ブレーキペタルの固定ペタル５と可動ペタル４が水平に揃う事となる。そして右足をブレーキペタルから離すと可動ペタル５は右側に傾斜する。
靴３が制動するためにブレーキペタル右半分６を踏むと（図３（２）につづく）【００１１】図３（２）はブレーキペタルの可動ペタル４を踏むと、アーム７の先にブレーキランプ（ストップランプ）とリレーとが反応してマグネットスイッチ６がオンになる。するとピストン８が伸びてブレーキペタルの可動ペタル４が瞬時にして水平になる。ブレーキペタルの可動ペタル４を離すと瞬時にピストン８が縮む。するとブレーキペタルの可動ペタル４は図３（１）のように３０度ほど下がる。
【産業上の利用可能性】
【００１２】自動車産業において活用できるものである。
【符号の説明】
【００１３】１  アクセルペタル
２  ブレーキペタル
３  右足
４  可動ペタル
５  固定ペタル
６  マグネットスイッチ
７  アーム
８  ピストン
９  ヒンジ
【図１】
2013014308.tif 000003
【図２】
2013014308.tif 000004
【図３】
2013014308.tif 000005
【手続補正書】
【提出日】平成24年2月9日(2012.2.9)
【手続補正１】
【補正対象書類名】特許請求の範囲
【補正対象項目名】全文
【補正方法】変更
【補正の内容】
【特許請求の範囲】
【請求項１】
「オートマチック自動車または電気自動車のブレーキにおいて、アームに巾方向の一端を固定された固定ペタルと、この固定ペタルの右側に、ヒンジを介して可動ペタルを備えると共に前記固定ペタルの下面にはマグネットスイッチが固着されており、このマグネットスイッチのピストンは、前記可動ペタルの下面に接して右方向に伸び縮み可能とされ、前記可動ペタルが踏まれている間は前記ピストンが伸びることで、前記可動ペタルが前記固定ペタルに対して水平となることを特徴とする可動ブレーキペタル。」
(57)【要約】【課題】熨斗は、慶事における進物や贈答品に添えられる縁起物の飾りとして用いられているが、静止した飾りとしてのみの役目に留まっており、贈答品などを送る人の感謝の気持ちをより強く伝えるために、この熨斗を有効活用する。【解決手段】贈答品などに添えられる熨斗を両手を有する熨斗にし、受け取る人が熨斗の覆いや、覆いを兼ねる贈答品の表層紙などを剥ぎ捲ると、熨斗が起立し手を合わせて合掌する様にし、この熨斗の合掌という形を通じて送る人の感謝の気持ちを、より強く表現出来る様にした。【選択図】図２
2013014379.tif 000002
【特許請求の範囲】
【請求項１】
熨斗を取り付けた台紙の上側に、熨斗が見えるように熨斗の形をした窓を設けた覆いを貼付してあって、この覆いを剥ぎ捲ると、熨斗が起立して合掌することを特徴とした両手を有する熨斗。
【発明の詳細な説明】
【技術分野】
【０００１】  進物や贈答品等に添えられる熨斗が起立して合掌し、感謝の気持ちを相手に伝える様にしたもの。
【背景技術】
【０００２】  熨斗には、印刷された物や折り紙状になった物や、紐で形作られたもの等、色々な色彩や細かく形状を変えた様々な物がある。
【発明の開示】
【発明が解決しようとする課題】
【０００３】  熨斗は、慶事における進物や贈答品に添えられる飾りとして用いられているが、静止した飾りとしてのみの役目に留まっている。【０００４】  縁起物の飾りとして定着した熨斗に、両手を設けて起立し合掌させて、贈答品などを送る人の感謝の気持ちを、より強く伝える様にする。
【課題を解決するための手段】
【０００５】  贈答品などに添付される熨斗を両手のあるものにし、この両手を有する熨斗を台紙に蝶着状態に取り付けて、熨斗付き台紙を贈答品などに添付し、受け取った人が熨斗の覆いや、覆いを兼ねる贈答品の表層紙などを剥ぎ捲ると、熨斗が前方側からゴムなどの伸縮部材に牽引されて起立する様にし、【０００６】  そして、熨斗の後方側から牽引する力を止めて起立状態を保つ保持糸を、熨斗の両手に結び、熨斗が起立する際に両手が引き寄せられて合掌する様にした。
【発明の効果】
【０００７】  こうする事により贈答品などを送る人の感謝の気持ちを、熨斗の合掌という形を通じて品物を受け取る人に強く伝える事が出来るし、封緘ハガキの様に熨斗付き台紙の余白に、文字などを記入してプライバシーの保護されるメッセージを添えて、贈答品と感謝の合掌とメッセージとの、三拍子揃った謝意の伝達が出来る。
【発明を実施するための最良の形態】
【０００８】  以下、本発明の実施の形態を図に基づいて説明する。【０００９】  両手を設けた熨斗１を台紙２に蝶着状態に取り付けて、熨斗１と熨斗前方側の台紙２とを伸縮部材５で結び、熨斗１の両手を、熨斗中間部を貫通させて熨斗後方側の台紙２に起立保持糸６で結び、（図２と図３参照）【００１０】  熨斗１が見えるように熨斗の形をして横糸７を張った窓３を設けている覆い４を、起立を押止するために、熨斗付き台紙２に貼付した。（図１と図４参照）【００１１】  この場合、覆いの窓３は、両手が隠れて熨斗の外形より少し狭くしてあって、熨斗１の上端は、覆い窓の横糸７の上側になるように差し込んでおくのであるが、この横糸７は熨斗の起立を誘い始動させるためのものである。【００１２】  こうすることにより、贈答品などを受け取った人が熨斗の覆い４を剥ぎ捲ると、押さえが除かれて熨斗１の上端が覆い窓の横糸７に因ってテコ式に引き起こされて後、伸縮部材５に牽引されて熨斗１が起立し、これと同時に熨斗の両手が起立保持糸６に引き寄せられて合掌することになり、この熨斗の合掌の形を通じて贈答品などを送る人の感謝の気持ちを表現するようにした。（図２参照）【００１３】  熨斗１を牽引して起立させる動力となる伸縮部材５と、起立姿勢を保持する起立保持糸６は、起立して起立姿勢が保てる均衡関係にあれば何本で繋ぎ止めても構わないし、そして又、熨斗１或いは両手と熨斗付き台紙２とを結び繋ぎとめる方法も、図５に示す様な別の方法でも良い。【００１４】  更に、熨斗の覆い４を広くして、水引を添えた物や装飾を施した贈答品などの表層紙を兼ねる物にしても良いし、品物に貼付される住所など宛名記入の送付票を兼ねる物でも良い。
【産業上の利用可能性】
【００１５】  本発明に係る感謝の合掌熨斗は、工業的に量産する事が可能であるため、産業上の利用可能性を有する。
【図面の簡単な説明】
【００１６】
【図１】本発明の分解斜視図
【図２】熨斗の覆いを、剥ぎ捲った状態を示す斜視図
【図３】熨斗の覆いを、取り去った状態を示す平面図
【図４】本発明の平面図
【図５】別の実施例を示す、熨斗の起立完了直前の斜視図
【符号の説明】
【００１７】  １  熨斗
２  熨斗の台紙
３  覆いの窓
４  覆い
５  伸縮部材
６  起立保持糸
７  覆い窓の横糸
８  熨斗台紙の底紙
９  両手の寄せ糸
【図１】
2013014379.tif 000003
【図２】
2013014379.tif 000004
【図３】
2013014379.tif 000005
【図４】
2013014379.tif 000006
【図５】
2013014379.tif 000007
(57)【要約】      （修正有）【課題】洋服のように簡単に着用できてはだけない洋服様着物を提供する。【解決手段】二部式にした上衣前部の重ね合わせる部分２を、元々貼り合わせＴシャツのように裾部分４から頭を入れ、すっぽりと被る形状にする。なお、帯を巻いた際に着物にできるよれが不自然にならないよう、帯の下に出る着物上衣の裾部分には、シャギーを入れたりフリルやレース等様々なものを使用し、帯を締めてよれが出ても問題のないデザインにする。二部式にした着物下部の形状は、ウエスト部をゴムにした様々な丈や幅のスカートやズボンにし、前部に合わせ布を付けて着物を着ているように見せる。【選択図】図１
2013014870.tif 000002
【特許請求の範囲】
【請求項１】
二部式にした上衣前部の重ね合わせる部分を貼り合わせ、Ｔシャツのように裾部分から頭を入れてすっぽりと被る形状にし、帯を巻いた際に着物にできるよれが不自然にならないよう、帯の下に出る着物上衣の裾部分にはシャギーを入れたりフリルやレース等様々なものを使用して、帯を締めてよれが出ても問題のないデザインにし、着物下衣のウエスト部はゴムにし、様々な丈や幅や形状のスカートやズボンにして、着物を着ているように見える合わせ布を前部に付けたことを特徴とする洋服様着物。
【発明の詳細な説明】
【技術分野】
【０００１】  本発明は、洋服のように簡単に着用できる洋服様着物に関するものである。
【背景技術】
【０００２】  従来、着物や浴衣などの和服は着用するのが面倒なものであった。
なお、和服の着付けを簡単にした二部式着物等が知られている（特許文献１参照）。
【先行技術文献】
【０００３】
【特許文献１】登録実用新案第３１１５５４７号
【発明の概要】
【発明が解決しようとする課題】
【０００４】  最近では、和服の着付けにかかる手間を改善した二部式着物等が知られているが、前部を合わせて着用するという和服の特性は残り、日常での洋服の着用方法に比べ、和服の着用方法には慣れていない点やすぐにはだけてしまう等の欠点が残っていた。
本発明は、以上の問題点を解決するためになされたものである。
【問題を解決するための手段】
【０００５】  二部式にした上衣前部の重ね合わせる部分を、元々貼り合わせＴシャツのように裾部分から頭を入れ、すっぽりと被る形状にする。
なお、帯を巻いた際に着物にできるよれが不自然にならないよう、帯の下に出る着物上衣の裾部分には、シャギーを入れたりフリルやレース等様々なものを使用し、帯を締めてよれが出ても問題のないデザインにする。
二部式にした着物下衣の形状は、ウエスト部をゴムにした様々な丈や幅のスカートやズボンにし、前部に合わせ布を付けて着物を着ているように見せる。
以上の構成よりなる洋服様着物。
【発明の効果】
【０００６】  二部式にした上衣前部の合わせ部分を貼り付け、Ｔシャツのように裾から頭を入れすっぽりと被って着用できる形状にする事で、既存の簡単に着用できる着物よりも更に簡単に着用できるようになり、動いた時に前部の合わせ部分がはだけるという心配がなくなる。
帯を締めた際にできる着物のよれについては、着物上衣の裾部分に予めシャギーを入れたり、レースやフリルなど様々なものを取り付け、よれに対応するデザインにする。
着物下衣はウエスト部分をゴムにし、着物を着ているように見えるため、前部に合わせ布を付けたデザインのスカートやズボンにする。スカートだけでなく、従来では知られていないズボンも取り入れる事により、動きやすさも期待される。
なお、スカートやズボンを様々な幅や丈や形状にする事により、着物に馴染みのない年代の人にも興味を持たせる効果もある。
【図面の簡単な説明】
【０００７】
【図１】本発明のイメージを示す平面図
【発明を実施するための形態】
【０００８】  以下、本発明の形態を説明する。
（イ）二部式になった着物上衣（１）は合わせ部分（２）を貼り付け被り型に形成する。
（ロ）被り型になった着物上衣（１）の襟周り（３）はレースやアクセサリーなどで調整する事ができる。
（ハ）着物上衣の裾部分（４）はギャザーやレースなどを用いて、帯を締めた時にできる着物のよれに対応するデザインする。
（二）着物下衣（５）はウエストをゴムにした様々な丈や幅や形状のスカートやズボンにし、前部に着物を着て見えるような布の重なり部（６）を付ける。
本発明は以上のような構造である。
本発明を使用するときは、着物下衣（５）を履き、着物上衣（１）を頭から被る。
【符号の説明】
【０００９】  １着物上衣、２合わせ部分、３襟周り、４着物上衣の裾部分、５着物下衣、６布の重なり部
【図１】
2013014870.tif 000003
【図２】
2013014870.tif 000004
【手続補正書】
【提出日】平成23年8月16日(2011.8.16)
【手続補正１】
【補正対象書類名】明細書
【補正対象項目名】０００７
【補正方法】変更
【補正の内容】
【０００７】
【図１】  本発明のイメージを示す平面図
【図２】  本発明のイメージを示す平面図
(57)【要約】【課題】現存する水虫薬は、ゼリー状もしくは液状なので、日常生活の過程で摩擦により擦り取られてしまったり、ゴミや埃等を取り込んでしまい、不衛生であった。【解決手段】布地１にゲルを定着させ、そこに水虫薬とメントールの成分を含有させる。【選択図】図１
2013014615.tif 000002
【特許請求の範囲】
【請求項１】
貼り薬の形態をとることを特徴とする水虫の貼り薬。
【請求項２】
布地に定着させたゲルに、水虫薬とメントール成分を含ませることを特徴とする請求項１記載の水虫の貼り薬。
【発明の詳細な説明】
【技術分野】
【０００１】  この発明は、水虫の薬の形態に関する。
【背景技術】
【０００２】  従来の水虫の薬は、ゼリー状もしくは液状である。
【先行技術文献】
【特許文献】
【０００３】
【特許文献１】特開２００５−３４３８７７号公報
【発明の概要】
【発明が解決しようとする課題】
【０００４】  しかしながら、以上の技術によれば、日常の生活の間に擦れて剥がれたり、ゴミや埃を取り込んでしまい不衛生になってしまう。
そこで、この発明は、剥がれにくく、ゴミなどを取り込まない水虫薬を提供することを課題とする。
【課題を解決するための手段】
【０００５】  以上の課題を解決するために、第一発明は、貼り薬の形態をとることを特徴とする水虫の貼り薬である。
また、第二発明は、布地に定着させたゲルに、水虫薬とメントール成分を含ませることを特徴とする水虫の貼り薬である。
【発明の効果】
【０００６】  第一発明、または第二発明によれば、布地により保護され、薬成分の剥がれ、ゴミ等の取り込みが激減する。
【図面の簡単な説明】
【０００７】
【図１】この発明の一実施形態を示す正面図である。
【図２】従来技術を示す正面図である。
【発明を実施するための形態】
【０００８】  この発明の一実施形態を、図１に示す。
布地にゲルを定着させ、そこに水虫薬の成分を含有させる。メントール成分も含む。
【００９】「実施形態の効果」
この実施形態によれば、布地が保護となり、水虫薬の成分が剥がれることはなく、ゴミの取り込みも激減する。メントール成分により、痒みも抑えられる。
【符号の説明】
【００１０】１  水虫の貼り薬
【図１】
2013014615.tif 000003
【図２】
2013014615.tif 000004
(57)【要約】【課題】      中国で喜ばれる、蒸したり、焼いたり、ゆでたりして食べる餃子の中で、特に好まれる水餃子としてのゆで汁を含んだスープのうまみを煮物、汁物、揚げ物の用途でたんのうする方法。【解決手段】  パンが大きく、ふんわりと膨らみ、冷えてもその形を保てたり、中華麺やうどんに独特の歯ごたえある食感を与えたりする小麦粉生地中に形成される麩の原料として働くグルテニンとグルテンそしてグリアジンであり、他の穀粉からはグルテンが形成されないから従来の餃子を焼いてもふっくら膨らまない。そこで皮に麩を採用する事によって解決した。副材料を加えたカラシめんたい麩による生活に欠かせない用途の餃子は更に新鮮である。【選択図】      図１
2013048578.tif 000002
【特許請求の範囲】
【請求項１】
餃子の皮に麩を採用した餃子。
【請求項２】
麩を作る殻粉にカラシめんたいこの粉末を副材料として加える事を特徴とする請求項１記載の餃子。
【発明の詳細な説明】
【技術分野】
【０００１】
本発明は、従来の中国料理の点心の一つに属する餃子に関する。
【背景技術】
【０００２】
清朝の時代に満州地方（現在の中国東北部）で、小麦粉を耳たぶくらいの柔らかさにこね、手のひらくらいの大きさに丸く薄く伸ばし、餃子を中身に包み、半月形にして片面だけに四つぐらいのひだをとり、柏餅に似た形につくる皮があります。
【発明の概要】
【発明が解決しようとする課題】
【０００３】
中国の人に特に好まれる水餃子としてのゆで汁を含んだスープのうまみを煮物、汁物、揚げ物の用途でたんのうする方法であるが、従来の穀粉では限界があるという欠点がある。
【０００４】
本発明は、上記実情に鑑みてなされたものであり、皮に採用した穀粉がある。
【課題を解決するための手段】
【０００５】
上記目的を達成するため発明は、西洋からのパンが大きく、ふんわりと膨らみ、冷えてもその形を保てたり、中華麺やうどんに、独特の歯ごたえある食感を与えたりする小麦粉生地中に形成される麩の原料として働くグルテニンとグルテンそしてグリアジンであり、他の穀粉からはグルテンが形成されないから従来の餃子を焼いてもふっくら膨らまない。そこで皮に麩を採用することによって解決した構成である。
【発明の効果】
【０００６】
本発明により、皮に採用した麩が水餃子としてのゆで汁を含んだスープのうまみを煮物、汁物、揚げ物の用途で従来品にない味覚を提供します。
【図面の簡単な説明】
【０００７】
【図１】本発明の餃子である。
【発明を実施するための形態】
【０００８】
本発明の実施の形態の一例について、図面を参照しながら説明する。
餃子は、図１に示すように、皮（麩）１、と餃子（野菜、エビ、豚肉、ニラ、ショウガなど）２、で構成される。麩を採用した皮が用途別味覚に秀れた結果を出す。
麩を作る時に例えばカラシめんたいこの粉末を殻粉に副材料として加える事による生活に欠かせない用途別味覚の製法として新鮮味を出すことができる。
【符号の説明】
【０００９】
１．１’  皮（麩）
２．２’  ギョウザ（餃子）
３．３’  カラシめんたいこ（副材料）
【図１】
2013048578.tif 000003
(57)【要約】【課題】  バッグの側面を斜めにカットして中の物を取り出しやすくした、買い物バッグを提供する。【解決手段】  バッグ（１）の側面の片方を斜めにカットして、側面開口部（３）を設け、側面開口部（３）にチャック（４）を設け、中の物を取り出しやすくし、また、バッグ（１）のバランスを保つため肩ヒモ（５）を開口部（２）の端よりに取り付けたことを特徴とする。【選択図】図１
2013048875.tif 000002
【特許請求の範囲】
【請求項１】
バッグ（１）の側面の片方を斜めにカットして、側面開口部（３）を設け、側面開口部（３）にチャック（４）を設け、中の物を取り出しやすくし、また、バッグ（１）のバランスを保つため肩ヒモ（５）を開口部（２）の端よりに取り付けたことを特徴とするとする買い物バッグ。
【発明の詳細な説明】
【技術分野】
【０００１】  本発明は、バッグの片方の側面を斜めにカットして、バッグの中の物を取り出しやすいように工夫した買い物バッグに関するものである。
【背景技術】
【０００２】  従来の肩掛けバッグは、バッグを脇にかかえていて重そうな感じがした。
【発明の概要】
【発明が解決しようとする課題】
【０００３】  これは、次のような欠点があった。
買い物をして、代金の支払いをするとき、長方形のバッグだと袋が深いため、一旦肩からはずして、バッグの中なら財布を捜していた。
本発明はこれらの欠点を解決するためになされたものである。
【課題を解決するための手段】
【０００４】  バッグ（１）の側面の片方を斜めにカットして、側面開口部（３）を設け、側面開口部（３）にチャック（４）を設け、中の物を取り出しやすくし、また、バッグ（１）のバランスを保つため肩ヒモ（５）を開口部（２）の端よりに取り付け。
以上のように構成した買い物バッグである。
【発明の効果】
【０００５】  本発明は、買い物をするとき、バッグを肩掛けたまま中の物を取り出しやすくしたものである。
【図面の簡単な説明】
【０００６】
【図１】  本発明の斜視図である。
【発明を実施するための実施の形態】
【０００７】  以下、本発明の実施をするための形態について図面で説明する。
バッグ（１）の側面開口部（２）を斜めにカットし、チャック（３）を設け、また、開口部（２）にバッグ（１）のバランスを保つため肩ヒモ（４）を開口部（２）の端よりに取り付ける。
バッグ（１）の底部（２）にマチ（６）を設ける。
本発明は、以上の構成によりなっている。
本発明を使用するときは、バッグ（１）、また、肩ヒモ（４）をはずさなくても、チャック（３）を開けるだけで中の物を取り出しやすくしたものである。
図１に示すように買い物バッグ（１）の側面開口部（２）を斜めにカットして、チャック（３）を設け、買い物をするとき、中の物を取り出しやすくした。
【符号の説明】
【０００８】    １  バッグ
２  開口部
３  側面開口部
４  チャック
５  肩ヒモ
６  マチ
【図１】
2013048875.tif 000003
(57)【要約】【課題】  本発明の枕補助具は、現在使用している枕をそのまま使い、より快適な使用感、睡眠環境を提供しようとするものである。【解決手段】  外袋（１）の中に内袋（２）が入った構造で、装着帯（３）を普段使っている枕に巻きつけ、面ファスナー（４ａ）と（４ｂ）により繋ぎ留めて使用する。内袋（２）の中には多数のシリコン小体（８）が入っていて、一方向への偏りを防ぐために数箇所の間仕切り（６ａ）が設けてある。また、内袋（２）の両隅には間仕切り（６ｂ）が設けてあり、端部に設けたファスナー（５ｂ）部との間にハーブ入れ（７）を収めることができる。ハーブ入れ（７）には好みのハーブを入れ、就寝時に香りを楽しむことができる。【選択図】図１
2013123603.tif 000002
【特許請求の範囲】
【請求項１】
枕に装着して使用する補助具であり、外袋の中に内袋を入れる構造を有し、該外袋には長さ調整可能な装着帯が設けられ、該内袋は多数の小体を内包し、数箇所に部分的な間仕切りを設けたことを特徴とする枕補助具。
【請求項２】
前記内袋の隅にハーブの入った小袋を収める場所を設けた、請求項１の枕補助具。
【請求項３】
前記内袋内の小体の材質が、シリコン素材である請求項１または請求項２の枕補助具。
【発明の詳細な説明】
【技術分野】
【０００１】
本発明は枕に装着して使用する補助具であり、より快適な睡眠環境を提供するものである。
【背景技術】
【０００２】
良質な睡眠を得るための手段の一つとして枕は重要な役目を果たすことから、形状、材質、質感などが研究され、様々な商品が販売されている。
【先行技術文献】
【特許文献】
【０００３】
【特許文献１】実登３０５６０４０
【発明の概要】
【発明が解決しようとする課題】
【０００４】
本発明の枕補助具は、現在使用している枕をそのまま使い、より快適な使用感、睡眠環境を提供しようとするものである。
【課題を解決するための手段】
【０００５】
本発明の枕補助具は、現在使用している枕に装着して使用するものである。
以下、本発明の構造を説明する。
（イ）  本発明の枕補助具は、外袋（１）の中に内袋（２）を入れ、普段から使っている枕（９）に装着帯（３）を巻きつけ、面ファスナー（４ａ）と（４ｂ）により繋ぎ留めて使用する。（図１、図４参照）
（ロ）  外袋（１）には枕（９）に装着するための装着帯（３）を設け、枕（９）の大きさに合わせて長さ調整できるように、装着帯（３）の端には面ファスナー（４ａ）及び（４ｂ）を設ける。また、内袋（２）の出し入れをする時は、外袋（１）の裏側に設けたファスナー（５ａ）部から行う。（図２参照）
（ハ）  内袋（２）の中には多数のシリコン小体（８）が入っている。シリコン小体（８）は寝返りなどの外からの圧力で内袋（２）内で移動するので、一方向への偏りを防ぐために数箇所の間仕切り（６ａ）が設けてある。この仕切りは完全に閉塞するものではないので、シリコン小体（８）を任意の位置に移動させることはできる。シリコン小体（８）の形状には、球体、直方体、円柱、円筒などが考えられる。
また、内袋（２）の両隅には間仕切り（６ｂ）が設けてあり、端部に設けたファスナー（５ｂ）部との間にハーブ入れ（７）を収めることができる。ハーブ入れ（７）には好みのハーブを入れ、就寝時に香りを楽しむことができる。（図３参照）
以上の構造を有することで、現在使用中の枕をより快適な枕として継続使用することができる。
【発明の効果】
【０００６】
本発明の枕補助具は、外袋（１）の中に内袋（２）を入れる構造なので、汚れた場合には内袋（２）を取り出して、外袋（１）を洗濯することで、いつでも清潔に保つことができる。また、装着帯（３）に付いている面ファスナー（４ａ）、（４ｂ）により長さ調整することで、普段使っている枕に装着可能である。
内袋（２）の中には多数のシリコン小体（８）が入っていて、寝返りなどの外からの圧力で内袋（２）内で移動するので、偏りを防ぐために間仕切り（６ａ）が設けてある。この仕切りは完全に閉塞するものではないので、シリコン小体（８）を好みの位置に移動させることもできる。これにより、自分好みの厚さ形状を作り出すことが容易である。
シリコン小体（８）の大きさ、形状、軟質度合いが変わると、使用感も変わるので、自分好みのものを内袋（２）に入れることで、より快適な感触が得られる。シリコン小体（８）の形状には、球体、直方体、円柱、円筒などが考えられる。
内袋（２）の両隅に設けたハーブ入れ（７）に好みのハーブを入れることで、就寝時に香りを楽しむことができる。
以上から、現在使用している枕をそのまま使い、より快適な使用感、睡眠環境を提供することが可能である。
【図面の簡単な説明】
【０００７】
【図１】本発明の構成図である。
【図２】外袋の構成図である。
【図３】内袋の構成図である。
【図４】本発明の使用状態を表した図である。
【発明を実施するための形態】
【０００８】
以下本発明の実施の形態について説明する。
（イ）  外袋（１）には枕（９）に装着するための装着帯（３）を設け、枕（９）の大きさに合わせて長さ調整できるように、装着帯（３）の端には面ファスナー（４ａ）及び（４ｂ）を設ける。また、内袋（２）の出し入れをする時は、外袋（１）の裏側に設けたファスナー（５ａ）部から行う。（図２参照）
（ロ）  内袋（２）には、間仕切り（６ａ）、（６ｂ）が設けてある。間仕切り（６ａ）は完全に閉塞するものではなく、内袋（２）内でシリコン小体（８）が極端に偏らないようにするためのものである。ハーブ入れ（７）、シリコン小体（８）は端に設けたファスナー（５ｂ）部から出し入れする。（図３参照）
（ハ）  ハーブ入れは袋状のもので、市販されている好みのハーブを入れ、睡眠時に香りを楽しむことができる。
（ニ）  外袋（１）、内袋（２）、ハーブ入れ（７）の素材は、何れも通気性のあるものを使用する。
（ホ）  シリコン小体（８）は軟質のシリコン素材を用い、形状は球体、直方体、円柱、円筒などが考えられる。
【符号の説明】
【０００９】
１  外袋
２  内袋
３  装着帯
４ａ、４ｂ  面ファスナー
５ａ、５ｂ  ファスナー
６ａ、６ｂ  間仕切り
７  ハーブ入れ
８  シリコン小体
９  枕
【図１】
2013123603.tif 000003
【図２】
2013123603.tif 000004
【図３】
2013123603.tif 000005
【図４】
2013123603.tif 000006
(57)【要約】【課題】本発明はお皿類にラップフィルムを楽に貼り付けるグッズである。肉類とか油料理の多くなった家庭で毎日主婦が食後に流しで油まみれのお皿類の洗浄に悩まされている。  本発明を用いて食事前に楽くにお皿類にラップフィルムを貼ればその悩みを除く事が出来る。【手段】円形の板状弾性材に中心部より放射状にＶ字形又はＵ字形に拔き欠き部を複数ヶ所設ける。【選択図】図１
2013123640.tif 000002
【特許請求の範囲】
【請求項１】
円形にカットされた弾性材に中心部より放射状にＶ字形又はＵ字形に複数の拔き欠き部を設けたラップフィルムをお皿類に貼れるグッズ。
【発明の詳細な説明】
【技術分野】
【０００１】  本発明は、家庭の食事が肉類とか油を使った料理が増加傾向に有り、家庭の主婦としては食後の油汚れの食器を洗う事に関しては皆さん大変さを感じている事と思はれる。お皿類に簡単にラップフィルムを貼れゝばこれらの悩みの減少が可能で本発明を使用する事により家事労働の軽減化が計れる。
【背景技術】
【０００２】  家庭での食事の後の油まみれのお皿類の山に対して主婦達は毎日流しでごしごしと油落しに努力して居り、又洗剤メーカーは色々な弊害には目をつむり汚れを落とす力の向上に汲々として居りそこには油をお皿類に付けないと云う発想は皆無である。
【発明の概要】
【発明が解決しようとする課題】
【０００３】  毎日繰り返えされる家庭での食事で主婦としては家族から大体喜ばれる油を使った料理が食卓に上る頻度が高い様である。と云う事は食後に主婦が苦手な油まみれのお皿類の洗浄に流しで苦労する回数の増加となる。
本発明はこの悩みを解消し快適な家庭生活の向上を目差すものである。
【課題を解決するための手段】
【０００４】  板状のスポンジ等の弾性材を丸く拔き出し同時に同じ拔き型により放射状にＶ字形又はＵ字形に拔き欠きを複数入れる。
本発明は、以上の構造によりラップフィルムをお皿類の凹面に楽くに貼り付ける事が出来る。
【発明の効果】
【０００５】  本発明を用いて食前に油料理を盛り付けるお皿類にラップフィルムを貼り付けておく事により、食後にそのフィルムを剥がすと云う簡単な手間でお皿類の油まみれの防止が出来、食後の流し場での作業の能率化が実現する。
【図面の簡単な説明】
【０００６】
【図１】本発明の平面図
【図２】本発明の左側図面
【図３】本発明をラップフィルムで包んだ状態の左側面図
【図４】お皿類にラップフィルムを貼りつける爲に図（３）の状態の後、両手の平を使って外周部を丸めた時の左側面図
【発明を実施するための形態】
【０００７】以下、本発明の実施の形態を説明する。
（イ）本発明は板状のスポンジ等の弾性材（１）により構成される。
（ロ）本体（１）は丸形の形状をして居り中心部より放射状にＶ字形又はＵ字形の複数ヶ所のカット欠き部（４）を設ける。
本発明は以上の構成よりなる。
本発明を使用する場合は、平な台の上にラップフィルムを拡げ本発明より大きい寸法にカットしその上に本発明を中心部に置き、図（３）の様にラップフィルムを外周部全周を折り返えし貼り付ける。其の後図（４）の様に両手の平を用いて丸めてお皿類の中心部に移し拡げ中心部を押さえてラップフィルムを剥がしながらお皿類の外周部に貼け付ける。
【符号の説明】
【０００８】（１）本体、（２）ラップフィルの端部、（３）ラップフィルム、（４）拔き欠き部、
【図１】
2013123640.tif 000003
【図２】
2013123640.tif 000004
【図３】
2013123640.tif 000005
【図４】
2013123640.tif 000006
(57)【要約】【課題】  本発明は、有害動物の学習効果による撃退効果の低減を阻止し、かつ、撃退効果をより一層高めることができる有害動物撃退装置を得ることにある。【解決手段】  撃退音の発生データまたは発生プログラムを入力する入力部と、当該入力部からの情報によって撃退音を発生させる撃退音信号発生部と、当該撃退音信号を増幅する増幅部と、当該増幅部に接続された内蔵もしくは外付けスピーカーと、撃退音信号に連動して点滅する複数個のＬＥＤとで有害動物撃退装置を構成している。【選択図】      図１
2013123394.tif 000002
【特許請求の範囲】
【請求項１】
撃退音の発生データまたは発生プログラムを入力する入力部と、当該入力部からの情報によって撃退音を発生させる撃退音信号発生部と、この撃退音信号を増幅する増幅部と、当該増幅部に接続された内蔵もしくは外付けスピーカーとで構成されたことを特徴とする有害動物撃退装置。
【請求項２】
撃退音信号に連動して複数個のＬＥＤを点滅させるべく構成した請求項１に記載の有害動物撃退装置。
【発明の詳細な説明】
【技術分野】
【０００１】
本発明は、スピーカーから発する撃退音によって、ネズミ、こうもり、カラスなどの有害動物を撃退する有害動物撃退装置に関する。
【背景技術】
【０００２】
従来の有害動物撃退装置は、ランダム信号発生回路を内蔵した制御回路と、当該制御回路からの制御信号によって発振周波数がランダムに変わる発振回路と、当該発振回路の電気信号を音響等の機械的な振動に変換する変換機とによって構成されている。
【０００３】
ところが、このような単なるランダム信号では有害動物は学習効果により慣れてしまい撃退効果が持続しないという欠点があった。
【０００４】
これを解決するために、ランダムに変化する発振周波数の中に周波数の急激な下降からより急激な上昇に転ずる衝撃音部を含む威嚇信号を作成し、この威嚇信号を変換器によって機械的な振動に変換して送出する有害動物撃退装置が存在している。
【０００５】
しかしながら、このような衝撃音部を含む有害動物撃退装置の場合でも、含まない場合に比べて撃退効果の持続期間が長くなるものの、やはり、有害動物の学習効果によって、威嚇効果が持続する期間に限りがあるという欠点があった。
【先行技術文献】
【特許文献】
【０００６】
【特許文献１】特公昭６３−１６号公報
【特許文献２】特開２００８−１７７６３号公報
【非特許文献】
【０００７】
【非特許文献１】「まもるくんII  型式  ＮＴ−１  取扱説明書」、株式会社  まもるくん
【発明の概要】
【発明が解決しようとする課題】
【０００８】
本発明は、以上のような従来の欠点に鑑み、有害動物の学習効果を阻止し、かつ撃退効果を高め、長期間に渡って撃退効果が継続する有害動物撃退装置を提供するものである。
【課題を解決するための手段】
【０００９】
上記目的を達成するために、本発明は、撃退音の発生データまたは発生プログラムを入力する入力部と、当該入力部からの情報によって撃退音信号を発生させる撃退音信号発生部と、この撃退音信号を増幅する増幅部と、当該増幅部に接続された内蔵もしくは外付けスピーカーと、撃退音信号に連動して点滅する複数個のＬＥＤとで有害動物撃退装置を構成している。
【発明の効果】
【００１０】
以上の説明から明らかなように、本発明にあっては、次に列挙する効果が得られる。
（１）撃退音の発生データまたは発生プログラムを入力する入力部と、当該入力部からの情報によって撃退音を発生させる撃退音信号発生部と、この撃退音信号を増幅する増幅部と、当該増幅部に接続された内蔵もしくは外付けスピーカーとで構成されているので、撃退音の随時変更が可能であり、これによって、有害動物が撃退音に慣れるという学習効果を阻止することができ、撃退効果が持続する。
（２）撃退音信号に連動して点滅する複数個のＬＥＤを具備しているので、聴覚のみならず視覚からの撃退効果もある。なお、この効果は、特に夜間において顕著である。
【図面の簡単な説明】
【００１１】
【図１】本発明を実施するための最良の形態のブロック図である。
【発明を実施するための形態】
【００１２】
以下、本発明の実施の形態を図１に基づいて説明する。
【実施例】
【００１３】
図１は、本発明装置の実施例のブロック図である。
【００１４】
図１において、１の入力部は、撃退音の発生データや発生プログラムを有線または赤外線や電波などの無線により、パソコンやインターネットや電話回線を経由して受信する。
【００１５】
２はパソコンで、パソコンに内蔵された衝撃音発生プログラムをＵＳＢケーブルで１の入力部に転送している例である。
【００１６】
３の撃退音信号発生部は、具体的には、マイクロコンピュータ等で構成されており、入力部で受信した撃退音発生データまたは発生プログラムを基に、任意の撃退音信号を発生する。なお、受信した撃退音発生データや発生プログラムが、撃退音信号発生部の電気を切っても消えないEEPROM領域等に書き込まれるように構成しておけば、有害動物撃退装置の電源が遮断されても消滅することはない。
【００１７】
４の増幅部は、前記撃退音信号をスピーカーが駆動できるレベルに増幅するもので、一般的な音響用の増幅器である。
【００１８】
５のスピーカーは、増幅部からの衝撃音信号を撃退音として送出するもので、有害動物撃退装置に内蔵されていても外付けでもよい。
【００１９】
６のＬＥＤは、撃退音信号に連動して点滅するもので、この光の変化により有害動物の視覚を刺激し、より一層撃退効果を高めることができる。本発明者の実験結果によれは、夜間において、特に顕著である。
【産業上の利用可能性】
【００２０】
本発明は、有害動物撃退装置を製造する産業で利用される。
【符号の説明】
【００２１】
１  入力部
２  パソコン
３  撃退音発生部
４  増幅部
５  スピーカー
６  ＬＥＤ
【図１】
2013123394.tif 000003
(57)【要約】【課題】歯科医や一般家庭でも、簡易に舌筋力及び口唇閉鎖力を測定することができ、矯正治療や健康面及び美容面で客観的管理を行うツールとして本装置を提供する。【解決手段】舌筋力及び口唇閉鎖力測定装置は、舌と口唇が加える圧力感知部と、感知の増幅部及び測定結果の表示部からなる装置。【選択図】図５
2013180189.tif 000002
【特許請求の範囲】
【請求項１】
舌筋力を測定するために、圧力感知部を舌で押し上げ、硬口蓋にかかる圧力を測定する圧力計測部と測定結果を表示する表示部を備えた装置。
【請求項２】
請求項１の舌筋力測定装置は口唇閉鎖力測定にも利用できるもので、圧力感知部を上下の口唇で挟み、圧力感知部にかかる口唇閉鎖力を測定する。
【発明の詳細な説明】
【技術分野】
【０００１】本発明は、舌筋力と口唇閉鎖力を測定するために、舌筋力及び口唇閉鎖力測定装置を口腔内に挿入し、圧力感知部に舌尖及び舌背を押し付け、硬口蓋にかかる圧力を測定する機能及び圧力感知部を上下の口唇で挟み、口唇閉鎖力を測定する機能を持つ装置である。
【背景技術】
【０００２】新生児は母乳を吸う時、舌を盛り上げ、乳首を蠕動運動で硬口蓋に押し付け、口唇、咬合筋、頬などの口腔周辺筋に加え、全身の筋肉を使って乳汁を絞り出している。
この哺乳により舌の筋肉及び口唇の閉鎖力が鍛えられ、その後の正常な舌と口唇の機能が獲得される。
乳幼児期から舌挙上機能及び口唇閉鎖機能が正常であれば、呼吸、咬合、嚥下、発音、姿勢は良好になり、歯並び、咬み合わせなどに対する矯正治療の必要性さえ軽減し、全身の健康にも大きな影響を与えるため、保護者や教師の指導が重要である。【０００３】しかしながら、舌筋力及び口唇閉鎖力を測定する簡易な計測器はなく、基準となる数値指標も一般的には普及されていない。
【発明の概要】
【発明が解決しようとする課題】
【０００４】本発明は、舌と口唇の筋力を簡易に測定し、測定結果を数値化するもので、一般の体温計で測定する数値同様、得られた数値を健康管理の指標として利用するものである。
【課題を解決するための手段】
【０００５】本発明は、上記課題を解決するためになされたものであり、請求項１に記載の発明は、舌と硬口蓋との間に舌筋力及び口唇閉鎖力測定装置を挿入し、舌を圧力感知部に押し付け、舌と硬口蓋との間に加わる圧力を測定する装置である。
また、請求項２に記載の発明は、本装置の圧力感知部を上下の口唇で挟み、口唇閉鎖力を測定する装置である。
【発明の効果】
【０００６】舌筋力及び口唇閉鎖力測定装置で測定された数値は、矯正治療や健康面及び美容面の管理において客観的に利用することができる。
【図面の簡単な説明】
【０００７】
【図１】本発明に係わる舌筋力測定及び口唇閉鎖力測定結果を表示する部位側の正面図
【図２】本発明に係わる圧力感知部位側の背面図
【図３】本発明に係わる舌筋力及び口唇閉鎖力測定装置の断面図
【図４】本発明に係わる舌筋力及び口唇閉鎖力測定装置のメカニズムで、舌及び口唇の圧力は、１０の圧力感知部の内部に埋められている、１１の検出子圧力センサーで捉え、電子信号に変換後、１２の電子信号コード−１を経由して、１３の増幅器で増幅し、１４の電子信号コード−２を経由して、１５の測定結果表示部に数値を表示する。
【図５】本発明に係わる舌筋力及び口唇閉鎖力測定装置による舌筋力測定方法
【図６】本発明に係わる舌筋力及び口唇閉鎖力測定装置による口唇閉鎖力測定方法
【発明を実施するための形態】
【０００８】本発明に係わる舌筋力及び口唇閉鎖力測定装置の使用方法は、測定結果値表示部側を上にして口腔内に挿入し、舌筋力測定は、圧力感知部を舌で押し上げ、舌の圧力を測定する。また、口唇閉鎖力測定は、上下口唇で圧力感知部を挟み、口唇閉鎖力を測定する。
【産業上の利用可能性】
【０００９】本発明は、舌筋力及び口唇閉鎖力を簡易に測定することができ、医療機関や一般家庭で使用する計測器である。
【符号の説明】
【００１０】１０  圧力感知部
１１  検出子圧力センサー
１２  電子信号コード−１
１３  増幅器
１４  電子信号コード−２
１５  測定結果値表示部
【図１】
2013180189.tif 000003
【図２】
2013180189.tif 000004
【図３】
2013180189.tif 000005
【図４】
2013180189.tif 000006
【図５】
2013180189.tif 000007
【図６】
2013180189.tif 000008
(57)【要約】【課題】冬の寒い時期などに、長時間屋外において座っている際、足元の冷えを解消するために、電池による発熱式の靴中敷を提供する。【解決手段】電気により発熱する中敷本体１に電池ケース２を取り付け、断続的に中敷本体１を発熱させ靴内部を暖かく使用できるようにする。【選択図】図１
2013180150.tif 000002
【特許請求の範囲】
【請求項１】
電池を備え電気エネルギーにより発熱する靴の中敷。
【発明の詳細な説明】
【技術分野】
【０００１】
本発明は、足元の冷えを解決するために、中敷の足にあたる部分が、電気エネルギーにより発熱し、暖かく使用できるようにしたものである。
【背景技術】
【０００２】
従来、電気エネルギーにより発熱し、暖まる靴の中敷はなかった。
【発明の概要】
【発明が解決しようとする課題】
【０００３】
冬の寒い時期など、屋外においてじっと動かず座っている場合、床の冷たさが足にも及んで、足先に痛みを伴うような冷たさを感じるという難点があった。
【課題を解決するための手段】
【０００４】
そこで、本発明にあっては、上記課題を解決するため、靴に装着した電池ケース２に電池を入れ、電気エネルギーにより、中敷全体１を発熱させ足裏を、暖めるようにした。
【発明の効果】
【０００５】
寒い時期でも痛みを伴うような冷たさを低減させることができる。
【図面の簡単な説明】
【０００６】
【図１】本発明の平面図である。
【図２】本発明の側面図である。
【図３】本発明の電池ケース付近の断面図である。
【図４】本発明を靴に装着した時のイメージ図である。
【発明を実施するための形態】
【０００７】
以下、本発明の形態について説明する。
（イ）.電池ケース２に靴固定用クリップ４をとりつける。
（ロ）.中敷本体１に電池ケース２を取り付ける。
【符号の説明】
【０００８】
１  中敷本体
２  電池ケース及びヒューズ
３  電気接続線
４  靴固定用クリップ
【図１】
2013180150.tif 000003
【図２】
2013180150.tif 000004
【図３】
2013180150.tif 000005
【図４】
2013180150.tif 000006
(57)【要約】      （修正有）【課題】今までは、主に眼を働かせる、からくり箱であった。本発明は、手探りして開く、からくり箱で、閉めた状態からは簡単に開けられない秘密箱を提供する。【解決手段】内筒１の外側の面に迷路状の溝２を設け、外筒の内側下部に突起を設ける。【選択図】図１
2013180192.tif 000002
【特許請求の範囲】
【請求項１】
内筒の外側の面に迷路状の溝を設け、外筒の内側下部に突起を設けた、ラビリンス？シリンダー。
【発明の詳細な説明】
【技術分野】
【０００１】  本発明は、手探りして開く、からくり箱で、閉めた状態からは簡単に開けられない秘密箱になる、ラビリンス？シリンダーに関するものである。
【背景技術】
【０００２】  従来、主に眼と手を使って開く、からくり箱であった。
【先行技術文献】
【０００３】
【発明の概要】
【発明が解決しようとする課題】
【０００４】主に眼を働かせる、からくり箱であった。
本発明は以上の問題点を解決するものである。
【課題を解決するための手段】
【０００５】内筒の外側に迷路状の溝を作り、外筒の内側に突起を作る。
【発明の効果】
【０００６】手探りして開く、からくり箱で、閉めた状態からは簡単に開けられない秘密箱になる。
【図面の簡単な説明】
【０００７】
【図１】本発明の内筒の斜視図
【図２】本発明の外筒の斜視図
【発明を実施するための形態】
【０００８】以下、本発明の実施の形態を説明する。
（イ）内筒（１）の外側の面に迷路状の溝（２）を設ける。
（ロ）外筒（３）の内側下部に突起（４）を設ける。
本発明は以上のような構造である。
本発明を使用するときは、内筒（１）の外側の面の迷路状の溝（２）に、外筒（３）の内側下部の突起（４）を合わせて、一番下まで外筒を入れていき、閉じた箱とする。
また、手探りして開く、からくり箱とする。
【符号の説明】
【０００９】（１）内筒、（２）迷路状の溝、（３）外筒、（４）突起
【図１】
2013180192.tif 000003
【図２】
2013180192.tif 000004
(57)【要約】【課題】現在行はれている巻き爪矯正には爪の巻いている部分を切り取ったり、爪の巻いている部分に穴をあけワイヤーを入れて爪を矯正する方法がある。爪を切る方法では指に長期間痛みがあること、また靴が履けない。ワイヤー法では靴を履くとワイヤーの先端が指に刺さり靴が履けないなどの欠点がある。【解決手段】  柔軟性で且つ復元力のある樹脂を図１、図２、図３のようにＴ字型、台形型，三角形にする。図１、図２、図３のａ部は巻いている巻き爪部に当て合わせ接着する部分である、ｂは、巻いている部分を引上げる部分である、このような形状することにより、いかなる巻き爪も矯正ができることを特徴とする巻き爪矯正器具である。【選択図】図１
2013180195.tif 000002
【特許請求の範囲】
【請求項１】
柔軟性で且つ復元力のある樹脂を図１、図２、図３のようにＴ字型、台形型，三角形にする。図１、図２、図３のａ部は巻いている巻き爪部に当て合わせ接着する部分である、ｂは、巻いている部分を引上げて接着する部分である、このような形状することにより、いかなる巻き爪も矯正ができることを特徴とする巻き爪矯正器具である。
【発明の詳細な説明】
【技術分野】
【０００１】  この発明は、巻き爪矯正に関する器具である。
【背景技術】
【０００２】  従来の巻き爪矯正には、爪の両側を切ったり、爪に穴をあけ復元力のあるワイヤーをはめ爪を復元させたりする方法があるが、爪を切ると長期に痛みや靴が履けないこと，またワイヤー法はワイヤーの先端が指に刺さり靴がけない履けない欠点がある。
【先行技術文献】
【特許文献】
【０００３】
【発明の概要】
【発明が解決しようとする課題】
【０００４】  これは次に様な欠点があった。巻爪の治療には巻くいている部分を切るため痛みがあり、長期に靴がはけないこと、また巻き爪に穴をあけワイヤーをはめ爪を復元させる法があるが、これもワイヤーの先端が指に刺さり靴が履けないことや，穴をあけた部分から細菌が感染して水虫になるなどの欠点がある、本発明は，以上の欠点を無くすためになされたものである。
【課題を解決するための手段】
【０００５】  柔軟性で且つ復元性のある樹脂を「図１」「図２」「図３」のようにＴ字型、台形、にする、爪と接着する部分は接着剤を塗布しておく、症状によっては、接着剤は塗布しないで矯正時に接着する。巻き爪の症状は千差万別であるのでその巻き爪症状に合せて、Ｔ字型、台形、三角形の巻き爪矯正具を加工して接着する。使用するときは。図１，２，３のａ部は巻いている巻き爪部に当て合わせ接着する部分である、ｂは、巻いている部分を引上げる部分である。このような形状にすることにより、いかなる巻き爪状態の巻き爪も矯正ができる矯正器具である。
【発明の効果】
【０００６】  巻き爪矯正器具は，どのような状態の巻き爪でも，安全に矯正でき痛みを無くし、かつ巻き爪矯正ができる巻き爪正器具である。
【図面の簡単な説明】
【０００７】
【図１】  Ｔ字型爪き矯正器具斜視図
【図２】  台形型爪き矯正器具斜視図
【図３】  三角型巻き爪矯正機具斜視図
【図４】  本発明を巻き爪部に接着している斜視図
【発明の実施をするための形態】
【０００８】  以下、本発明の実施をするための形態について説明する。
柔軟性のある樹脂を「図１」「図２」「図３」のようにＴ字型、台形、三角形にする。図中のａ部は巻いている巻き爪部に当て合わせ、接着剤で接着する部分である、図中のｂは、巻いている爪部分を引上げながら接着する部分である、このような形状することにより、いかなる巻き爪も矯正ができ巻き爪矯正器具である。
【符号の説明】
【０００９】ａ  巻き爪部に接着する部
ｂ  ａ部を引上げて接着部
ｃ  折り曲げ部
【図１】
2013180195.tif 000003
【図２】
2013180195.tif 000004
【図３】
2013180195.tif 000005
【図４】
2013180195.tif 000006